(57)【要約】【課題】輝度を低下させずに薄型化を図ることが可能であり、さらには、耐衝撃性の高い光源装置を提供する。【解決手段】発光部２８を内包する管球部２２及び一対の封止部２４，２６を有する発光管２０と、回転中心軸３０ａｘを含む所定の平面Ｓで切断したとき、一方側の少なくとも端部３０ｚが削除された形状を有し、発光部２８から射出される光を被照明領域側に反射するリフレクタ３０と、管球部２２における一方側を覆うように配置され、発光部２８からの射出光を発光部２８へ向けて反射する反射部４２を有する副鏡４０とを備える光源装置１０であって、副鏡４０は、セメントｃによって副鏡４０を封止部２４に固定するための固定部４４をさらに有し、固定部４４は、一対の封止部２４，２６のうち少なくとも片方の封止部２４の外周を半周を超えて覆うように構成されている光源装置。【選択図】図１
2010108742.tif 000002
【特許請求の範囲】
【請求項１】
発光部を内包する管球部及び一対の封止部を有する発光管と、
回転中心軸を含む所定の平面で切断したとき、一方側の少なくとも端部が削除された形
状を有し、前記発光部から射出される光を被照明領域側に反射するリフレクタと、
前記管球部における前記一方側を覆うように配置され、前記発光部からの射出光を前記
発光部へ向けて反射する反射部を有する副鏡とを備える光源装置であって、
前記副鏡は、接着剤によって前記副鏡を前記封止部に固定するための固定部をさらに有
し、前記固定部は、前記一対の封止部のうち少なくとも片方の封止部の外周を半周を超え
て覆うように構成されていることを特徴とする光源装置。
【請求項２】
請求項１に記載の光源装置において、
前記固定部は、セメントによって前記封止部に固定されていることを特徴とする光源装
置。
【請求項３】
請求項１又は２に記載の光源装置において、
前記固定部のうち一つは、セメントによって前記リフレクタに固定されていることを特
徴とする光源装置。
【請求項４】
請求項１〜３のいずれかに記載の光源装置において、
前記固定部は、前記固定部における前記封止部の長手方向に沿った長さが、前記一方側
から他方側に向かって徐々に短くなるように構成されていることを特徴とする光源装置。
【請求項５】
請求項１〜４のいずれかに記載の光源装置において、
前記固定部は、前記封止部の外周を全周覆っていることを特徴とする光源装置。
【請求項６】
請求項１〜５のいずれかに記載の光源装置において、
前記反射部の内面は、非球面形状を有し、前記反射部で反射される光が前記発光部に向
けて反射されるように構成されていることを特徴とする光源装置。
【請求項７】
請求項１〜６のいずれかに記載の光源装置を備える照明装置と、
前記照明装置からの照明光を情報画像に応じて変調する電気光学変調装置と、
前記電気光学変調装置からの変調光を投写する投写レンズとを備えることを特徴とする
プロジェクタ。
【発明の詳細な説明】
【技術分野】
【０００１】
本発明は、光源装置及びプロジェクタに関する。
【背景技術】
【０００２】
従来、プロジェクタに用いる光源装置が知られている（例えば、特許文献１参照。）。
従来の光源装置においては、発光部を内包する管球部及び一対の封止部を有する発光管
と、回転中心軸を含む所定の平面で切断したとき、一方側の端部が削除された形状を有し
、発光部から射出される光を被照明領域側に反射するリフレクタと、管球部における一方
側を覆うように配置され、発光部からの射出光を発光部へ向けて反射する反射部を有する
副鏡とを備える。副鏡は、一対の封止部のうち片方における一方側に配置され、副鏡を封
止部に固定するための固定部をさらに有する。固定部は接着剤によって封止部に固定され
ており、発光管は接着剤によってリフレクタに固定されている。
【０００３】
このため、従来の光源装置によれば、リフレクタの一方側の端部を削除して薄型化を図
る一方で、管球部における一方側を覆うように副鏡を配置して発光部からの射出光を有効
利用することとしているため、輝度を低下させずに薄型化を図ることが可能となる。また
、このような光源装置を備えることにより、高輝度かつ薄型のプロジェクタを製造するこ
とが可能となる。
【０００４】
【特許文献１】特開２００７−３３５１９６
【発明の開示】
【発明が解決しようとする課題】
【０００５】
しかしながら、本発明の発明者らの調査によれば、従来の光源装置においては、封止部
から副鏡が脱落し易く、耐衝撃性が低いという問題があることがわかった。
【０００６】
そこで、本発明は、このような問題を解決するためになされたもので、輝度を低下させ
ずに薄型化を図ることが可能であり、さらには、耐衝撃性の高い光源装置を提供すること
を目的とする。また、このような光源装置を備えることにより、高輝度かつ薄型で、さら
には耐衝撃性の高いプロジェクタを提供することを目的とする。
【課題を解決するための手段】
【０００７】
本発明の光源装置は、発光部を内包する管球部及び一対の封止部を有する発光管と、回
転中心軸を含む所定の平面で切断したとき、一方側の少なくとも端部が削除された形状を
有し、前記発光部から射出される光を被照明領域側に反射するリフレクタと、前記管球部
における前記一方側を覆うように配置され、前記発光部からの射出光を前記発光部へ向け
て反射する反射部を有する副鏡とを備える光源装置であって、前記副鏡は、接着剤によっ
て前記副鏡を前記封止部に固定するための固定部をさらに有し、前記固定部は、前記一対
の封止部のうち少なくとも片方の封止部の外周を半周を超えて覆うように構成されている
ことを特徴とする。
【０００８】
このため、本発明の光源装置によれば、リフレクタの一方側の端部を削除して薄型化を
図る一方で、管球部における一方側を覆うように副鏡を配置して発光部からの射出光を有
効利用することが可能となるため、輝度を低下させずに薄型化を図ることが可能となる。
また、本発明の光源装置によれば、封止部の外周を半周を超えて覆うように構成されてい
る固定部を有するため、封止部を覆うように大きな接着面積で副鏡を発光管に強力に固定
することが可能となる。その結果、封止部から副鏡が脱落し難くなり、耐衝撃性を高くす
ることができる。すなわち、本発明の光源装置は、輝度を低下させずに薄型化を図ること
が可能であり、さらには、耐衝撃性の高い光源装置となる。
【０００９】
本発明の光源装置においては、前記固定部は、セメントによって前記封止部に固定され
ていることが好ましい。
【００１０】
本発明の光源装置によれば、封止部を覆うように大きな接着面積で副鏡を発光管に強力
に固定することが可能となるため、上記のように接着力が弱いセメントによっても十分な
固定力でもって副鏡を封止部に固定することが可能となる。このため、接着力が強い反面
腐食性の高い強アルカリ性の接着剤を使用することなく副鏡を封止部に固定することが可
能となるため、光源装置の寿命を長くすることが可能となる。
【００１１】
本発明の光源装置においては、前記固定部のうち一つは、セメントによって前記リフレ
クタに固定されていることが好ましい。
【００１２】
このような構成とすることにより、副鏡と発光管とを一体としてリフレクタに固定する
ことが可能となるため、より耐衝撃性の高い光源装置とすることが可能となる。
【００１３】
本発明の光源装置においては、前記固定部は、前記固定部における前記封止部の長手方
向に沿った長さが、前記一方側から他方側に向かって徐々に短くなるように構成されてい
ることが好ましい。
【００１４】
このような構成とすることにより、発光部からリフレクタに放射される光を極力阻害す
ることなく副鏡を発光管に固定することが可能となる。
【００１５】
本発明の光源装置においては、前記固定部は、前記封止部の外周を全周覆っていること
が好ましい。
【００１６】
このような構成とすることにより、封止部を完全に覆うように大きな接着面積で副鏡を
発光管に強力に固定することが可能となるため、耐衝撃性をより高くすることができる。
【００１７】
本発明の光源装置においては、前記反射部の内面は、非球面形状を有し、前記反射部で
反射される光が前記発光部に向けて反射されるように構成されていることが好ましい。
【００１８】
このような構成とすることにより、副鏡から射出された光を発光管の中心へ反射するこ
とが可能となり、発光部からの射出光をさらに高いレベルで有効利用することが可能とな
る。
【００１９】
本発明のプロジェクタは、本発明の光源装置を備える照明装置と、前記照明装置からの
照明光を情報画像に応じて変調する電気光学変調装置と、前記電気光学変調装置からの変
調光を投写する投写レンズとを備えることを特徴とする。
【００２０】
このため、本発明のプロジェクタは、輝度を低下させずに薄型化を図ることが可能であ
り、さらには、耐衝撃性の高い本発明の光源装置を備えるため、高輝度かつ薄型で、さら
には耐衝撃性の高いプロジェクタとなる。
【発明を実施するための最良の形態】
【００２１】
以下、本発明の光源装置及びプロジェクタについて、図に示す実施の形態に基づいて説
明する。
【００２２】
[実施形態１]
１．光源装置１０の構成
図１は、実施形態１に係る光源装置１０を説明するために示す図である。図１(ａ）は
光源装置１０の斜視図であり、図１（ｂ）は光源装置１０の縦断面図である。
図２は、実施形態１に係る光源装置１０における副鏡４０を説明するために示す図であ
る。図２（ａ）は副鏡４０の斜視図であり、図２（ｂ）は副鏡４０の縦断面図であり、図
２（ｃ）は発光管２０に固定された状態の副鏡４０を示す側面図である。
【００２３】
実施形態１に係る光源装置１０は、図１に示すように、発光部２８を内包する管球部２
２及び一対の封止部２４，２６を有する発光管２０と、回転中心軸３０ａｘを含む所定の
平面Ｓで切断したとき、一方側の端部３０ｚが削除された形状を有し、発光部２８から射
出される光Ｌ１を被照明領域側に反射するリフレクタ３０と、管球部２２における一方側
を覆うように配置され、発光部２８から射出される光Ｌ２を発光部２８へ向けて反射する
反射部４２を有する副鏡４０とを備える。
【００２４】
副鏡４０は、図１及び図２に示すように、副鏡４０を封止部２４に固定するための固定
部４４をさらに有する。固定部４４は、セメントｃによって封止部２４に固定されている
。固定部４４は、セメントｃによってリフレクタ３０に固定されている。固定部４４は、
封止部２４の外周を全周覆うように構成されている。また、固定部４４は、図２（ｃ）に
示すように、固定部４４における封止部２４の長手方向Ａに沿った長さＢが、一方側から
他方側に向かって徐々に短くなるように構成されている。固定部４４の基端部４５ａと先
端部４５ｂとを結ぶ直線４５ｃと、発光管２８の長手方向Ａに沿った軸とのなす角度は、
例えば４５°である。
【００２５】
反射部４２の内面は、非球面形状を有し、反射部４２で反射される光Ｌ２が発光部２８
に向けて反射されるように構成されている。リフレクタ３０は、例えば、回転楕円面の反
射面を有する。副鏡４０の材質は、例えば、石英ガラスである。
【００２６】
２．光源装置の製造方法
光源装置の製造方法は、発光管２０、リフレクタ３０及び副鏡４０をあらかじめ準備し
ておき、まず、このうち副鏡４０を発光管２０に固定した後、副鏡４０の固定部４４の部
分で発光管２０をリフレクタ４０に固定する。このうち、発光管２０及びリフレクタ３０
の製造方法はよく知られているので、ここでは、副鏡４０の製造方法を詳細に説明する。
【００２７】
図３は、実施形態１に係る光源装置１０における副鏡４０の製造方法を説明するために
示す図である。図３（ａ）〜図３（ｇ）は各工程図である。なお、実際の工程では切断す
るときに切りしろが発生するが、図３においては図示を省略している。
【００２８】
（１）管状部材準備工程
まず、固定部４４（図３（ｇ）参照。）の内径に対応する内径寸法を有する管状部材５
０を準備する（図３（ａ）参照。）。管状部材５０の材料としては、硬質ガラスや石英ガ
ラスを好適に用いることができる。なかでも、石英ガラスを用いることがより好ましい。
石英ガラスは熱膨張率が低いうえに内部歪が残らないため、アニール処理をする必要がな
いからである。なお、この段階では見た目上の差異はないものの、便宜上、固定部４４が
形成される側の管状部を５０ａとし、その反対側の管状部を５０ｂとする。
【００２９】
（２）膨張部形成工程
次に、管状部材５０を加熱して成形型（図示せず）に入れた後、不活性ガスにより内圧
をかけ、管状部材５０における一部の内面形状が反射部４２に対応した所定の形状となる
ように膨張させ、膨張部５２を形成する（図３（ｂ）参照。）。不活性ガスとしては、例
えば、アルゴンガスや窒素ガスを好適に用いることができる。
【００３０】
（３）切断工程
（３−１）第１切断工程
次に、スライサを用いて、管状部材５０の軸５０ａｘを含む平面に沿って、膨張部５２
を含む領域Ｒ１に切り込みＸ１を入れる（（図３（ｃ）参照。）。なお、図３（ｃ）にお
いては、切り込みＸ１を１本の線として示しているが、実際には膨張部５２の紙面表側及
び紙面裏側の双方にそれぞれ１本（合計２本）の切り込みを入れる。
【００３１】
（３−２）第２切断工程
次に、切り込みＸ１の管状部５０ａ側端部Ｘ１ａに向かって他方側から斜め（４５°）
に切り込みＸ２を入れる（（図３（ｄ）参照。）。このとき、切り込みＸ２は、紙面表側
から紙面裏側へ連続する１本の切り込みとなる（後述する切り込みＸ３，Ｘ４も同様であ
る。）。
【００３２】
（３−３）第３切断工程
次に、切り込みＸ１の管状部５０ｂ側端部Ｘ１ｂに向かって一方側から直角に切り込み
Ｘ３を入れる（図３（ｅ）参照。）。なお、第３切断工程が終了すると、管状部材５０は
２つの切断片５４ａ，５４ｂに分離されるため、これより後は、切断片５４ａに対して加
工を行うこととする。
【００３３】
（３−４）第４切断工程
次に、切り込みＸ４を入れて、切断片５４ａから管状部５０ａの末端部５６を切り離し
、固定部４４を形成する（図３（ｆ）参照。）。切断工程が終了すると、副鏡基材５８が
完成する。
【００３４】
（４）反射層形成工程
次に、膨張部５２の内面に反射層６０を形成する（図３（ｇ）参照。）。反射層６０と
しては、例えば、酸化タンタル（Ｔａ２Ｏ５）と酸化シリコン（ＳｉＯ２）との誘電体多
層膜からなる反射層を好適に用いることができる。反射層形成工程が終了すると、副鏡４
０が完成する。
【００３５】
その後、製造された副鏡４０を、固定部４４のところで発光管２０に固定するとともに
、発光管２０を固定部４４のところでリフレクタ３０に固定することにより、光源装置１
０が完成する。
【００３６】
３．プロジェクタの構成
【００３７】
図４は、実施形態１に係るプロジェクタ１０００の光学系を示す図である。
図５は、照明装置１００を説明するために示す図である。図４（ａ）は照明装置１００
の縦断面図であり、図４（ｂ）は照明装置１００の横断面図である。
【００３８】
実施形態１に係るプロジェクタ１０００は、図４に示すように、照明装置１００と、照
明装置１００からの照明光束を赤色光、緑色光及び青色光の３つの色光に分離して被照明
領域に導光する色分離導光光学系２００と、色分離導光光学系２００で分離された３つの
色光のそれぞれを画像情報に応じて変調する電気光学変調装置としての３つの液晶装置４
００Ｒ，４００Ｇ，４００Ｂと、これら３つの液晶装置４００Ｒ，４００Ｇ，４００Ｂに
よって変調された色光を合成するクロスダイクロイックプリズム５００と、クロスダイク
ロイックプリズム５００によって合成された光をスクリーンＳＣＲ等の投写面に投写する
投写光学系６００とを備えたプロジェクタである。
【００３９】
照明装置１００は、図４及び図５に示すように、被照明領域側に照明光束を射出する光
源装置１０と、光源装置１０からの集束光を略平行光として射出する凹レンズ９０と、凹
レンズ９０から射出される照明光束を複数の部分光束に分割するための複数の第１小レン
ズ１２２を有する第１レンズアレイ１２０と、第１レンズアレイ１２０の複数の第１小レ
ンズに対応する複数の第２小レンズ１３２を有する第２レンズアレイ１３０と、第２レン
ズアレイ１３０からの各部分光束を偏光方向の揃った略１種類の直線偏光光に変換して射
出する偏光変換素子１４０と、偏光変換素子１４０から射出される各部分光束を被照明領
域で重畳させるための重畳レンズ１５０とを有する。
【００４０】
実施形態１に係る光源装置１０は、図４及び図５に示すように、リフレクタとしての楕
円面リフレクタ３０と、楕円面リフレクタ３０の第１焦点近傍に発光中心を有する発光管
２０と、反射手段としての副鏡４０とを有している。光源装置１０は、照明光軸１００ａ
ｘを中心軸とする光束を射出する。
【００４１】
発光管２０は、図５に示すように、照明光軸１００ａｘに沿って配置された一対の電極
を内蔵する管球部２２と、管球部２２の両側に延びる一対の封止部２４，２６と、一対の
封止部２４，２６内にそれぞれ封止された一対の金属箔と、一対の金属箔にそれぞれ電気
的に接続された一対のリード線とを有している。そして、管球部２２の外面と一対の封止
部２４，２６の外面とは、滑らかに接続されている。リード線に電圧が印加されると、一
対の電極間に電位差が発生し放電が生じアーク像が生成される。このアーク像が発光部で
ある。
【００４２】
なお、発光管２０の構成要素の条件等を例示的に示すと、管球部２２及び封止部２４，
２６は、例えば石英ガラス製であり、管球部２２内には、水銀、希ガス及び少量のハロゲ
ンが封入されている。電極は、例えばタングステン電極であり、金属箔は、例えばモリブ
デン箔である。リード線は、例えばモリブデン又はタングステンから構成されている。
また、発光管２０としては、高輝度発光する種々の発光管を採用でき、例えば高圧水銀
ランプ、超高圧水銀ランプ、メタルハライドランプ等を採用できる。
【００４３】
楕円面リフレクタ３０は、図５に示すように、発光管２０の封止部２４を挿通・固定す
るための開口部と、発光管２０から放射された光を第２焦点位置に向けて反射する反射面
とを有している。楕円面リフレクタ３０は、楕円面リフレクタ３０の開口部に充填された
セメントｃによって発光管２０の封止部２４側に固着されている。
【００４４】
反射面を構成する基材の材料としては、例えば、結晶化ガラスやアルミナ（Ａｌ２Ｏ３
）などを好適に用いることができる。反射面の内面には、例えば、酸化チタン（ＴｉＯ２
）と酸化シリコン（ＳｉＯ２）との誘電体多層膜からなる可視光反射層が形成されている
。
【００４５】
なお、副鏡４０は、上記したように、管球部２２における一方側を覆うように配置され
、発光部２８から射出される光Ｌ２を発光部２８へ向けて反射する反射部４２と、副鏡４
０を封止部２４に固定するための固定部４４とを有する。また、副鏡４０は、上記した副
鏡の製造方法によって製造されたものである。
【００４６】
凹レンズ９０は、図５に示すように、楕円面リフレクタ３０の被照明領域側に配置され
ている。そして、楕円面リフレクタ３０からの光を第１レンズアレイ１２０に向けて射出
するように構成されている。
【００４７】
第１レンズアレイ１２０は、凹レンズ９０からの光を複数の部分光束に分割する光束分
割光学素子としての機能を有し、照明光軸３０ａｘと直交する面内にマトリクス状に配列
される複数の第１小レンズ１２２を備えた構成を有している。図示による説明は省略する
が、第１小レンズ１２２の外形形状は、液晶装置４００Ｒ，４００Ｇ，４００Ｂの画像形
成領域の外形形状に関して相似形である。
【００４８】
第２レンズアレイ１３０は、上述した第１レンズアレイ１２０により分割された複数の
部分光束を集光する光学素子であり、第１レンズアレイ１２０と同様に照明光軸１００ａ
ｘに直交する面内にマトリクス状に配列される複数の第２小レンズ１３２を備えた構成を
有している。
【００４９】
偏光変換素子１４０は、第１レンズアレイ１２０により分割された各部分光束の偏光方
向を、偏光方向の揃った略１種類の直線偏光光として射出する偏光変換素子である。
偏光変換素子１４０は、光源装置１０からの照明光束に含まれる偏光成分のうち一方の
直線偏光成分をそのまま透過し、他方の直線偏光成分を照明光軸１００ａｘに垂直な方向
に反射する偏光分離層と、偏光分離層で反射された他方の直線偏光成分を照明光軸１００
ａｘに平行な方向に反射する反射層と、反射層で反射された他方の直線偏光成分を一方の
直線偏光成分に変換する位相差板とを有している。
【００５０】
重畳レンズ１５０は、第１レンズアレイ１２０、第２レンズアレイ１３０及び偏光変換
素子１４０を経た複数の部分光束を集光して液晶装置４００Ｒ，４００Ｇ，４００Ｂの画
像形成領域近傍に重畳させるための光学素子である。なお、図４に示す重畳レンズ１５０
は１枚のレンズで構成されているが、複数のレンズを組み合わせた複合レンズで構成され
ていてもよい。
【００５１】
色分離導光光学系２００は、図４に示すように、ダイクロイックミラー２１０，２２０
と、反射ミラー２３０，２４０，２５０と、リレーレンズ２６０，２７０とを有している
。色分離導光光学系２００は、照明装置１００から射出される照明光束を赤色光、緑色光
及び青色光の３つの色光に分離して、それぞれの色光を照明対象となる液晶装置４００Ｒ
，４００Ｇ，４００Ｂに導く機能を有している。
【００５２】
ダイクロイックミラー２１０，２２０は、基板上に所定の波長領域の光束を反射し、他
の波長領域の光束を透過する波長選択膜が形成された光学素子である。光路前段に配置さ
れるダイクロイックミラー２１０は、赤色光成分を反射し、その他の色光成分を透過する
ミラーである。光路後段に配置されるダイクロイックミラー２２０は、緑色光成分を反射
し、青色光成分を透過するミラーである。
【００５３】
ダイクロイックミラー２１０で反射された赤色光成分は、反射ミラー２３０により曲折
され、集光レンズ３００Ｒを介して赤色光用の液晶装置４００Ｒの画像形成領域に入射す
る。
【００５４】
集光レンズ３００Ｒは、重畳レンズ１５０からの各部分光束を各主光線に対して略平行
な光束に変換するために設けられている。他の液晶装置４００Ｇ，４００Ｂの光路前段に
配設される集光レンズ３００Ｇ，３００Ｂも、集光レンズ３００Ｒと同様に構成されてい
る。
【００５５】
ダイクロイックミラー２１０を通過した緑色光成分及び青色光成分のうち緑色光成分は
、ダイクロイックミラー２２０によって反射され、集光レンズ３００Ｇを通過して緑色光
用の液晶装置４００Ｇの画像形成領域に入射する。一方、青色光成分は、ダイクロイック
ミラー２２０を透過し、入射側レンズ２６０、入射側の反射ミラー２４０、リレーレンズ
２７０、射出側の反射ミラー２５０及び集光レンズ３００Ｂを通過して青色光用の液晶装
置４００Ｂの画像形成領域に入射する。入射側レンズ２６０、リレーレンズ２７０及び反
射ミラー２４０，２５０は、ダイクロイックミラー２２０を透過した青色光成分を液晶装
置４００Ｂまで導く機能を有している。
【００５６】
なお、青色光の光路にこのような入射側レンズ２６０、リレーレンズ２７０及び反射ミ
ラー２４０，２５０が設けられているのは、青色光の光路の長さが他の色光の光路の長さ
よりも長いため、光の発散等による光の利用効率の低下を防止するためである。実施形態
１に係るプロジェクタ１０００においては、青色光の光路の長さが長いのでこのような構
成とされているが、赤色光の光路の長さを長くして、入射側レンズ２６０、リレーレンズ
２７０及び反射ミラー２４０，２５０を赤色光の光路に用いる構成も考えられる。
【００５７】
液晶装置４００Ｒ，４００Ｇ，４００Ｂは、入射した照明光束を画像情報に応じて変調
するものであり、照明装置１００の照明対象となる。なお、図示を省略したが、各集光レ
ンズ３００Ｒ，３００Ｇ，３００Ｂと各液晶装置４００Ｒ，４００Ｇ，４００Ｂとの間に
は、それぞれ入射側偏光板が配置され、各液晶装置４００Ｒ，４００Ｇ，４００Ｂとクロ
スダイクロイックプリズム５００との間には、それぞれ射出側偏光板が配置されている。
これら入射側偏光板、液晶装置４００Ｒ，４００Ｇ，４００Ｂ及び射出側偏光板によって
、入射する各色光の光変調が行われる。
液晶装置４００Ｒ，４００Ｇ，４００Ｂは、一対の透明なガラス基盤に電気光学物質で
ある液晶を密閉封入したものであり、例えば、ポリシリコンＴＦＴをスイッチング素子と
して、与えられた画像信号に応じて、入射側偏光板から射出された１種類の直線偏光の偏
光方向を変調する。
【００５８】
クロスダイクロイックプリズム５００は、射出側偏光板から射出された色光毎に変調さ
れた光学像を合成してカラー画像を形成する光学素子である。このクロスダイクロイック
プリズム５００は、４つの直角プリズムを貼り合わせた平面視略正方形状をなし、直角プ
リズム同士を貼り合わせた略Ｘ字状の界面には、誘電体多層膜が形成されている。略Ｘ字
状の一方の界面に形成された誘電体多層膜は、赤色光を反射するものであり、他方の界面
に形成された誘電体多層膜は、青色光を反射するものである。これらの誘電体多層膜によ
って赤色光及び青色光は曲折され、緑色光の進行方向と揃えられることにより、３つの色
光が合成される。
【００５９】
クロスダイクロイックプリズム５００から射出されたカラー画像は、投写光学系６００
によって拡大投写され、スクリーンＳＣＲ上で画像を形成する。
【００６０】
このように、実施形態１に係る光源装置１０は、上記したように、発光管２０と、リフ
レクタ３０と、副鏡４０とを備える光源装置である。また、実施形態１に係るプロジェク
タ１０００は、実施形態１の光源装置１０を備える照明装置１００を備えるプロジェクタ
である。
【００６１】
このため、実施形態１に係る光源装置１０によれば、リフレクタ３０の一方側の端部３
０ｚを削除して薄型化を図る一方で、管球部２２における一方側を覆うように副鏡４０を
配置して発光部２８からの射出光を有効利用することが可能となるため、輝度を低下させ
ずに薄型化を図ることが可能となる。また、実施形態１に係る光源装置１０によれば、封
止部２４の外周を全周覆うように構成されている固定部４４を有するため、封止部２４を
覆うように大きな接着面積で副鏡４０を発光管２０に強力に固定することが可能となる。
その結果、封止部２４から副鏡４０が脱落し難くなり、耐衝撃性を高くすることができる
。すなわち、実施形態１に係る光源装置１０は、輝度を低下させずに薄型化を図ることが
可能であり、さらには、耐衝撃性の高い光源装置となる。
【００６２】
また、実施形態１に係る光源装置１０によれば、封止部２４を覆うように大きな接着面
積で副鏡４０を発光管２０に強力に固定することが可能となるため、上記のように接着力
が弱いセメントｃによっても十分な固定力でもって副鏡４０を封止部２４に固定すること
が可能となる。このため、接着力が強い反面腐食性の高い強アルカリ性の接着剤を使用す
ることなく副鏡を封止部に固定することが可能となるため、光源装置の寿命を長くするこ
とが可能となる。
【００６３】
また、実施形態１に係る光源装置１０によれば、固定部４４は、セメントｃによってリ
フレクタ３０に固定されているため、副鏡４０と発光管２０とを一体としてリフレクタ３
０に固定することが可能となるため、より耐衝撃性の高い光源装置とすることが可能とな
る。
【００６４】
また、実施形態１に係る光源装置１０によれば、固定部４４は、固定部４４における封
止部の長手方向Ａに沿った長さＢが、一方側から他方側に向かって徐々に短くなるように
構成されているため、発光部２８からリフレクタ３０に放射される光を極力阻害すること
なく副鏡４０を発光管２０に固定することが可能となる。
【００６５】
また、実施形態１に係る光源装置１０によれば、反射部４２の内面は、非球面形状を有
し、反射部４２で反射される光が発光部２８に向けて反射されるように構成されているた
め、副鏡４０から射出された光を発光管２０の中心へ反射することが可能となり、発光部
２８からの射出光をさらに高いレベルで有効利用することが可能となる。
【００６６】
実施形態１に係るプロジェクタ１０００は、実施形態１に係る光源装置１０を備える照
明装置１００と、照明装置１００からの照明光を情報画像に応じて変調する電気光学変調
装置としての液晶装置４００Ｒ，４００Ｇ，４００Ｂと、液晶装置４００Ｒ，４００Ｇ，
４００Ｂからの変調光を投写する投写レンズ６００とを備えるため、輝度を低下させずに
薄型化を図ることが可能であり、さらには、耐衝撃性の高い本発明の光源装置１０を備え
るため、高輝度かつ薄型で、さらには耐衝撃性の高いプロジェクタとなる。
【００６７】
［変形例１］
図６は、変形例１に係る光源装置１０ａの要部を示す図である。図６（ａ）は副鏡４０
ａを取り付けた状態の発光管２０を示す斜視図であり、図６（ｂ）は副鏡４０ａを取り付
けた状態の発光管２０を示す側面図である。
【００６８】
変形例１に係る光源装置１０ａは、基本的には実施形態１に係る光源装置１０と同様の
構成を有するが、副鏡の構造が実施形態１に係る光源装置１０の場合とは異なる。すなわ
ち、変形例１に係る光源装置１０ａにおいては、図６に示すように、副鏡４０ａは、封止
部２４の外周を半周を超えて覆っているが全周までは覆っていない固定部４４ａを有する
。
【００６９】
このように、変形例１に係る光源装置１０ａは、副鏡の構造が実施形態１に係る光源装
置１０の場合とは異なるが、実施形態１に係る光源装置１０の場合と同様に、封止部２４
の外周を半周を超えて覆うように構成されている固定部４４ａを有するため、封止部を覆
うように大きな接着面積で副鏡を管球部に強力に固定することが可能となる。その結果、
封止部から副鏡が脱落し難くなり、耐衝撃性を高くすることができる。
【００７０】
［変形例２］
図７は、変形例２に係る光源装置１０ｂの縦断面図である。
変形例２に係る光源装置１０ｂは、基本的には実施形態１に係る光源装置１０と同様の
構成を有するが、発光管をリフレクタに固定するための固定構造が実施形態１に係る光源
装置１０の場合とは異なる。すなわち、変形例２に係る光源装置１０ｂは、図７に示すよ
うに、発光管２０の封止部２４を直接リフレクタ３０ｂに固定する固定構造を有する。
【００７１】
このように、変形例２に係る光源装置１０ｂは、発光管をリフレクタに固定するための
固定構造が実施形態１に係る光源装置１０の場合とは異なるが、実施形態１の光源装置１
０と同様に、封止部２４の外周を半周を超えて覆うように構成されている固定部４４ｂを
有するため、封止部を覆うように大きな接着面積で副鏡を発光管に強力に固定することが
可能となる。その結果、封止部から副鏡が脱落し難くなり、耐衝撃性を高くすることがで
きる。
【００７２】
［変形例３］
図８は、変形例３に係る光源装置１０ｃの縦断面図である。
変形例３に係る光源装置１０ｃは、基本的には実施形態１に係る光源装置１０と同様の
構成を有するが、リフレクタの種類が実施形態１に係る光源装置１０の場合とは異なる。
すなわち、変形例２に係る光源装置１０ｃは、図８に示すように、リフレクタとして、放
物面リフレクタ３０ｃを備える。
【００７３】
このように、変形例３に係る光源装置１０ｃは、リフレクタの種類が実施形態１に係る
光源装置１０の場合とは異なるが、実施形態１に係る光源装置１０と同様に、封止部２４
の外周を半周を超えて覆うように構成されている固定部４４ｃを有するため、封止部を覆
うように大きな接着面積で副鏡を発光管に強力に固定することが可能となる。その結果、
封止部から副鏡が脱落し難くなり、耐衝撃性を高くすることができる。
【００７４】
［変形例４］
図９は、変形例４に係る光源装置１０ｄの縦断面図である。
変形例４に係る光源装置１０ｄは、基本的には実施形態１に係る光源装置１０と同様の
構成を有するが、副鏡の構造が実施形態１に係る光源装置１０の場合とは異なる。すなわ
ち、変形例４に係る光源装置１０ｄにおいては、副鏡４０ｄは、固定部４４ｄの反対側に
延出部４８ｄを有する。
【００７５】
このように、変形例４に係る光源装置１０ｄは、副鏡の構造が実施形態１に係る光源装
置１０の場合とは異なるが、実施形態１に係る光源装置１０の場合と同様に、封止部２４
の外周を半周を超えて覆うように構成されている固定部４４ｄを有し、さらに封止部２６
にセメントｃで固定される延出部４８ｄを有するため、より大きな接着面積で副鏡を発光
管に強力に固定することが可能となる。その結果、封止部から副鏡が脱落し難くなり、耐
衝撃性を高くすることができる。
【００７６】
以上、本発明の光源装置及びプロジェクタを上記の実施形態に基づいて説明したが、本
発明はこれに限定されるものではなく、その要旨を逸脱しない範囲において実施すること
が可能であり、例えば、次のような変形も可能である。
【００７７】
（１）上記実施形態においては、接着剤としてセメントを用いることとしたが、本発明は
これに限定されるものではない。例えば、接着剤としてセラミック系の耐熱接着剤などを
用いることもできる。
【００７８】
（２）上記実施形態においては、封止部の長手方向に沿った長さが一方側から他方側に向
かって徐々に短くなるように構成された固定部を有する副鏡を用いたが、本発明はこれに
限定されるものではない。例えば、封止部の長手方向に沿った長さが一方側から他方側に
向かって変化しないように構成された固定部を有する副鏡を用いることもできる。
【００７９】
（３）上記実施形態においては、一対の封止部のうち少なくとも片方の封止部の外周を半
周を超えて覆うように構成されている固定部を有する副鏡を用いたが、本発明はこれに限
定されるものではない。例えば、一対の封止部のうち両方の封止部の外周を半周を超えて
覆うように構成されている固定部を有する副鏡を用いることもできる。
【００８０】
（４）上記実施形態においては、石英ガラスからなる副鏡を用いたが、本発明はこれに限
定されるものではない。例えば、金属からなる副鏡を用いることもできる。
【００８１】
（５）上記実施形態においては、第１切断工程〜第４切断工程の順序で切断工程を実施す
ることとしたが、本発明はこれに限定されるものではない。例えば、第２切断工程と第３
切断工程との順序を入れ替えてもよいし、第４工程を最初に行ってもよい。
【００８２】
（６）上記実施形態においては、リフレクタの回転中心軸と発光管の長手方向とが平行で
ある場合を例にとって本発明を説明したが、本発明はこれに限定されるものではない。例
えば、リフレクタの回転中心軸と発光管の長手方向とが平行でない場合に本発明を適用す
ることもできる。
【００８３】
（７）上記実施形態においては、本発明の光源装置をプロジェクタに適用した例について
説明したが、本発明はこれに限定されるものではない。例えば、本発明の光源装置を他の
光学機器（例えば、光ディスク装置など。）に適用することもできる。
【００８４】
（８）上記実施形態においては、プロジェクタの光均一化光学系として、第１レンズアレ
イ及び第２レンズアレイからなるレンズインテグレータ光学系を用いたが、本発明はこれ
に限定されるものではない。例えば、導光ロッドからなるロッドインテグレータ光学系を
用いることもできる。
【００８５】
（９）上記実施形態においては、プロジェクタは透過型のプロジェクタであるが、本発明
はこれに限定されるものではない。例えば、反射型のプロジェクタであってもよい。ここ
で、「透過型」とは、透過型の液晶装置等のように光変調手段としての電気光学変調装置
が光を透過するタイプであることを意味しており、「反射型」とは、反射型の液晶装置等
のように光変調手段としての電気光学変調装置が光を反射するタイプであることを意味し
ている。反射型のプロジェクタにこの発明を適用した場合にも、透過型のプロジェクタと
同様の効果を得ることができる。
【００８６】
（１０）上記実施形態においては、３つの液晶装置を用いたプロジェクタを例示して説明
したが、本発明はこれに限定されるものではない。例えば、１つ、２つ又は４つ以上の液
晶装置を用いたプロジェクタにも適用することができる。
【００８７】
（１１）上記実施形態においては、プロジェクタの電気光学変調装置として液晶装置を用
いているが、本発明はこれに限定されるものではない。電気光学変調装置としては、一般
に、画像情報に応じて入射光を変調するものであればよく、マイクロミラー型光変調装置
などを利用してもよい。マイクロミラー型光変調装置としては、例えば、ＤＭＤ（デジタ
ルマイクロミラーデバイス）（ＴＩ社の商標）を用いることができる。
【００８８】
（１２）本発明は、投写画像を観察する側から投写するフロント投写型プロジェクタに適
用する場合にも、投写画像を観察する側とは反対の側から投写するリア投写型プロジェク
タに適用する場合にも可能である。
【図面の簡単な説明】
【００８９】
【図１】実施形態１に係る光源装置１０を説明するために示す図である。
【図２】実施形態１に係る光源装置１０における副鏡４０を説明するために示す図である。
【図３】実施形態１に係る光源装置１０における副鏡４０の製造方法を説明するために示す図である。
【図４】実施形態１に係るプロジェクタ１０００を説明するために示す図である。
【図５】実施形態１に係る照明装置１００を説明するために示す図である。
【図６】変形例１に係る光源装置１０ａの要部を説明するために示す図である。
【図７】変形例２に係る光源装置１０ｂを説明するために示す図である。
【図８】変形例３に係る光源装置１０ｃを説明するために示す図である。
【図９】変形例４に係る光源装置１０ｄを説明するために示す図である。
【符号の説明】
【００９０】
１０，１０ａ，１０ｂ，１０ｃ，１０ｄ…光源装置、２０…発光管、２２…管球部、２４
，２６…封止部、２８…発光部、３０，３０ｂ，３０ｃ…リフレクタ、３０ａｘ，３０ｂ
ａｘ，３０ｃａｘ…回転対称軸、４０，４０ａ，４０ｂ，４０ｄ…副鏡、４２，４２ｂ，
４０ｄ…反射部、４４，４４ａ，４４ｂ，４４ｄ…固定部、４５ａ…基端部、４５ｂ…先
端部、４５ｃ…直線、４６，４６ａ，４６ｂ，４６ｄ…接続部、４８ｄ…延出部、５０…
管状部材、５０ａ，５０ｂ…管状部、５０ａｘ…管状部材の軸、５２…膨張部、５４ａ，
５４ｂ…切断片、５６…末端部、５８…副鏡基材、６０…反射層、１００…照明装置、１
００ａｘ…照明光軸、１２０…第１レンズアレイ、１２２…第１小レンズ、１３０…第２
レンズアレイ、１３２…第２小レンズ、１４０…偏光変換素子、１５０…重畳レンズ、２
００…色分離導光光学系、２１０，２２０…ダイクロイックミラー、２３０，２４０，２
５０…反射ミラー、２６０…入射側レンズ、２７０…リレーレンズ、３００Ｒ，３００Ｇ
，３００Ｂ…集光レンズ、４００Ｒ，４００Ｇ，４００Ｂ…液晶装置、５００…クロスダ
イクロイックプリズム、６００…投写レンズ、１０００…プロジェクタ、ｃ…セメント、
Ｒ１…膨張部を含む範囲、Ｌ１，Ｌ２…光、Ｘ１，Ｘ２，Ｘ３，Ｘ４…切り込み、Ｘ１ａ
，Ｘ２ａ…端部、Ｓ…所定の平面、ＳＣＲ…スクリーン
【図１】
2010108742.tif 000003
【図２】
2010108742.tif 000004
【図３】
2010108742.tif 000005
【図４】
2010108742.tif 000006
【図５】
2010108742.tif 000007
【図６】
2010108742.tif 000008
【図７】
2010108742.tif 000009
【図８】
2010108742.tif 000010
【図９】
2010108742.tif 000011